(57)【要約】【課題】  個人別曲目帳から自動的に選曲するカラオケ装置を提供する。【解決手段】曲ごとの利用属性情報のついた楽曲の集合を個人ＩＤに対応付けして記憶した個人別曲目帳と、個人別曲目帳の曲集合の中から選曲する複数種類の方式を選曲方式番号に対応付けして記憶する手段と、曲または選曲方式をリクエストする番号入力を受け付け可能であるとともに、リクエストする人の個人ＩＤを取得可能なユーザインタフェースを備え、ユーザインタフェースより受け付けた番号入力と個人ＩＤとを対応付けて待ち行列に登録し、待ち行列の先頭番号が曲の番号であれば該当曲を演奏させ、待ち行列の先頭番号が個人ＩＤ付き選曲方式番号であれば、個人ＩＤに該当する個人別曲目帳の曲集合の中から選曲方式番号に該当する選曲方式に従って１曲を選出して演奏させるカラオケ装置とする。【選択図】    図７
2005266443.tif 000002
【特許請求の範囲】
【請求項１】
個人別曲目帳と、選曲方式記憶手段と、ユーザインタフェースと、制御手段とを備え、待ち行列によってリクエスト曲の演奏順番を管理するカラオケ装置であって、
個人別曲目帳は、曲ごとの利用属性情報のついた楽曲の集合を個人ＩＤに対応付けして記憶し、
選曲方式記憶手段は、個人別曲目帳の曲集合の中から選曲する複数種類の方式を選曲方式番号に対応付けして記憶し、
ユーザインタフェースは、曲または選曲方式をリクエストする番号入力を受け付け可能であるとともに、リクエストする人の個人ＩＤを取得可能であり、
制御手段は、リクエスト登録処理と、順番処理と、自動選曲処理とを行い、
リクエスト登録処理は、ユーザインタフェースより受け付けた番号入力と個人ＩＤとを対応付けて待ち行列に登録し、
順番処理は、待ち行列の先頭番号が曲の番号であれば該当曲を演奏させ、待ち行列の先頭番号が個人ＩＤ付き選曲方式番号であれば自動選曲処理を行い、
自動選曲処理は、個人ＩＤに該当する個人別曲目帳の曲集合の中から選曲方式番号に該当する選曲方式に従って１曲を選出して演奏させる
カラオケ装置。
【請求項２】
自動選曲処理は、選曲方式が複数曲を順次選出して順次演奏する方式である場合、１曲を自動選曲して演奏させるとともに、その選曲方式番号を待ち行列の末尾に再登録する
請求項１に記載のカラオケ装置。
【発明の詳細な説明】
【技術分野】
【０００１】
この発明は、選曲予約方式に特徴を有するカラオケ装置に関し、とくに利用者別の曲目リストからの利用者の指定した方式に基づいて自動的に選曲する技術に関する。
【背景技術】
【０００２】
カラオケ装置のパーソナル曲目帳システムが知られている。これは、利用者の愛好曲リストを利用者の個人ＩＤに対応付けして記録保存しておき、指定された個人ＩＤの愛好曲リストをパーソナル情報画面に表示するとともに、表示された愛好曲リストの中から指定された楽曲のＩＤと個人ＩＤとを対応付けして演奏予約の待ち行列に登録するシステムである。愛好曲リストは、利用者が希望曲を選定して登録したり、この利用者の歌唱履歴を元にして自動的に作成されたりする。このシステムに関連した発明は、例えば特開２００２−３２０８９号公報、特開２００２−９１４６３号公報、特開２００２−１５６９８３号公報、特開２００３−７６３８２号公報などに詳しく開示されている。
【特許文献１】特開２００２−３２０８９号公報
【特許文献２】特開２００２−９１４６３号公報
【特許文献３】特開２００２−１５６９８３号公報
【特許文献４】特開２００３−７６３８２号公報
【発明の開示】
【発明が解決しようとする課題】
【０００３】
パーソナル曲目帳（個人別曲目帳）に登録されている曲は、各利用者にとってそれぞれに思い入れの深い曲である場合が多い。どの曲をとっても、自信をもって歌えるものであったり、カラオケに来ると一度は歌いたいものであったりする。大勢でカラオケを楽しむ場合に、自分が歌唱できる少ない機会に、パーソナル曲目帳の中からであっても次に歌うためのたった１曲を選曲するというのは、意外に骨の折れる作業である。そのような場合には、パーソナル曲目帳の中から適宜に誰かに決めてもらえると、選曲に余計なエネルギーを費やすことなく、カラオケそのものをもっと気楽に楽しめるはずである。
【０００４】
またその逆に、せっかく多数の曲がパーソナル曲目帳に登録されているのに、その中からでさえも選曲する作業を面倒に感じて、いつも決まった曲ばかり歌う利用者もいる。この場合にも、最近歌っていない曲の中から誰かが曲を指定してくれれば、あまり歌わない歌を歌う機会ができて新鮮な楽しみを味わえるはずである。
【０００５】
そこで本発明者は、演奏予約したい人のパーソナル曲目帳の中から、気分にあわせて利用者が指定できる選曲方式によって、カラオケ装置が自動的に選曲して演奏予約してくれるとカラオケの楽しみが増すと考え、本発明を創作した。
【課題を解決するための手段】
【０００６】
上記目的を達成するために、この発明は、次の事項（１）〜（８）により特定されるものとする。  
（１）個人別曲目帳と、選曲方式記憶手段と、ユーザインタフェースと、制御手段とを備え、待ち行列によってリクエスト曲の演奏順番を管理するカラオケ装置であること、
（２）個人別曲目帳は、曲ごとの利用属性情報のついた楽曲の集合を個人ＩＤに対応付けして記憶すること、
（３）選曲方式記憶手段は、個人別曲目帳の曲集合の中から選曲する複数種類の方式を選曲方式番号に対応付けして記憶すること、
（４）ユーザインタフェースは、曲または選曲方式をリクエストする番号入力を受け付け可能であるとともに、リクエストする人の個人ＩＤを取得可能であること、
（５）制御手段は、リクエスト登録処理と、順番処理と、自動選曲処理とを行うこと、
（６）リクエスト登録処理は、ユーザインタフェースより受け付けた番号入力と個人ＩＤとを対応付けて待ち行列に登録すること、
（７）順番処理は、待ち行列の先頭番号が曲の番号であれば該当曲を演奏させ、待ち行列の先頭番号が個人ＩＤ付き選曲方式番号であれば自動選曲処理を行うこと、
（８）自動選曲処理は、個人ＩＤに該当する個人別曲目帳の曲集合の中から選曲方式番号に該当する選曲方式に従って１曲を選出して演奏させること、
【０００７】
この発明において、望ましくは、自動選曲処理は、選曲方式が複数曲を順次選出して順次演奏する方式である場合、１曲を自動選曲して演奏させるとともに、その選曲方式番号を待ち行列の末尾に再登録する。
【発明の効果】
【０００８】
本発明のカラオケ装置によれば、よく歌う曲の中からとか、過去の歌唱採点結果がよかった曲の中からとか、あまり歌わない曲の中からというような多様な選曲方式を用意しておいて、利用者が歌う日の気分にあわせて選曲方式を指定するだけで、その利用者用の個人別曲目帳から希望の選曲方式によって自動的に選曲される。したがって、どの曲を選曲するか迷ったりして選曲に余計なエネルギーを費やす必要がなくなり、純粋にカラオケを楽しむことに没頭できる。また、歌えるにもかかわらずあまり歌っていない曲を歌う機会を創出することもできるので、新鮮な楽しみも創出される。そのためカラオケ利用の機会が増大する効果を期待できる。
【発明を実施するための最良の形態】
【０００９】
＝＝＝カラオケ装置を含むネットワーク構成＝＝＝
図１は、本発明の実施例におけるカラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０にはカラオケ装置（カラオケ本体装置１０およびそれに付帯する機器）が設置され、カラオケ本体装置１０はＶＰＮ７０を介してホスト装置９０と通信する。
【００１０】
カラオケ本体装置１０には電子目次本と呼ばれる楽曲検索機能を備えた複数の無線操作パネル３０が付帯している。無線操作パネル３０は赤外線信号によりカラオケ本体装置１０の受光部１５に演奏予約コマンドを送信する。また、この無線操作パネル３０は内蔵２次電池により動作し、その２次電池を充電するための充電架台５０を付帯している。この架台５０はＲＳ２３２Ｃなどの所定規格の通信インタフェースを備え、カラオケ本体装置１０が装備する同規格の通信インタフェースと相互に接続されている。そして、無線操作パネル３０がこの充電架台５０に装着されると、無線操作パネル３０とカラオケ本体装置１０とがこの充電架台５０を介して通信するように構成されている。すなわち、この実施例のカラオケ装置は、カラオケ本体装置１０と無線操作パネル３０および充電架台５０によって構成されている。以下、本実施例においては、このカラオケ本体装置１０をカラオケ装置１０と称することとする。
【００１１】
なお、無線操作パネル３０とカラオケ装置１０との双方向通信については、ＩＥＥＥ８０１．１１ｘ（ｘはａ，ｂ，ｇなど）規格の無線ＬＡＮなどを用いてもよい。もちろん、無線ＬＡＮであれば演奏予約コマンドをＬＡＮ経由で操作対象となるカラオケ装置１０に送信することもできる。
【００１２】
＝＝＝カラオケ装置の基本的な構成と動作＝＝＝
図２は本実施例のカラオケ装置の機能ブロック構成である。カラオケ装置１０は、周知の通信カラオケシステムの演奏端末とほぼ同様のハードウエア構成である。中央制御部１１はＣＰＵ・ＲＡＭ・ＲＯＭを含むコンピュータ本体であり、各周辺構成部を制御してカラオケ装置１０を統括する。ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１３】
中央制御部１１は、ネットワークインタフェース２３を介してホスト装置９０と通信する。ホスト装置９０は、カラオケ装置１０に向けて新譜楽曲についてのカラオケデータ、台本データ、目次情報などを適時に配信したり、カラオケ装置１０にて随時収拾される稼働ログなどを集信したりする。中央制御部１１は、ホスト装置９０から送付されたカラオケデータを受け取ってカラオケデータベースの内容を更新したり、カラオケ装置１０側にて収集される稼働ログなどの各種情報をホスト装置に送信したりする。
【００１４】
カラオケ装置１０の操作制御部１３は、利用者入力により無線操作パネル３０やカラオケ装置１０本体の操作パネルを介して演奏予約コマンドのコードを受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１５】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１６】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００１７】
また、このカラオケ装置１０は歌唱採点機能を備えている。そして、その機能を実現するためのハードウエアとして歌唱採点部２５を備えている。中央制御部１１は、歌唱採点機能を利用する旨の利用者入力を受け付けると、演奏楽曲のカラオケデータにおける主旋律のピッチ（ピッチ基準値）を逐次歌唱採点部２５に転送していく。歌唱採点部２５は、マイクロホン２２から入力される歌唱音声信号をサンプリングしてデジタル歌声データに変換し、この歌声データから歌声ピッチを抽出する。そして、ピッチ基準値と歌声ピッチとを比較し、その比較結果に基づく得点を、例えば１小節ごとなど、適宜な区間ごとに１００点満点の得点を逐次出力していく。中央制御部１１は、演奏終了後など全歌唱パートの演奏が終わった時点で、それまでに歌唱採点部２５から逐次出力された得点を集計し、その平均得点（最終得点）を採点結果としてディスプレイ１８に表示するとともに、採点結果を演奏履歴の一つとして一時記憶する。
【００１８】
また、このカラオケケ装置１０は、伴奏音楽とそれに合わせて歌う歌唱者の歌声とを楽曲単位の録音作品として録音するための歌唱録音作品作成機能を備え、検定サービスを利用可能である。検定サービスとは、たとえば特開２００３−１５６７３号公報に詳しく開示されているように、歌唱録音作品を専門家に添削指導してもらうサービスである。
【００１９】
カラオケ装置１の音声信号処理部２６は、シンセサイザ１９からのリクエスト曲の伴奏音楽とマイクロホン２２に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルに作成し、このファイルを歌唱録音作品としてリクエスト曲の楽曲ＩＤに対応付けして内蔵のハードディスク装置１２に一時的に保存する。この歌唱録音作品をインターネットに接続されたカラオケ事業者の運営する教習仲介サーバーに送信して預託しておくと、各歌唱録音作品には、適宜に指導教師が割り当てられる。指導教師はサーバーにアクセスし、歌唱録音作品を再生するとともに、歌唱指導ビデオを制作編集してＭＰＥＧ形式の添削指導ファイルを作成し、楽曲ＩＤや検定受検生の個人ＩＤ、受験日時、評価得点などの情報とともに教習仲介サーバーに返送する。検定受検生（歌唱者）は、適宜な機会にサーバーにアクセスして添削指導ファイルを再生する。また、ホスト装置９０は、添削指導ファイルについて検定受験生の個人ＩＤ、楽曲ＩＤ、歌唱日時、評価得点などの情報を適宜な機会に集信しておく。
【００２０】
＝＝＝無線操作パネル３０の構成＝＝＝
図３（Ａ）と（Ｂ）には、無線操作パネル３０の外観と機能ブロック構成を示している。無線操作パネル３０は、液晶ディスプレイ（ＬＣＤ）３１とタッチセンサ３２とを積層したタッチパネル３３を主体としたユーザインタフェースを備え、内蔵するフラッシュメモリ３５にはカラオケ装置１０に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００２１】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、無線操作パネル３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。
【００２２】
＝＝＝個人別曲目帳の構成＝＝＝
ホスト装置９０は、会員登録されている利用者を個人ＩＤにより識別管理し、各個人ＩＤにその会員についての名前・連絡先・個人識別標章（顔写真など）・選曲履歴・歌唱採点履歴・パーソナル曲目帳（十八番など、よく歌う楽曲についての楽曲番号帳：以下、ＭＹ目次本と称す）などの個人情報を対応付けして記憶・管理している。なお、個人ＩＤに対応付けされた情報の記憶領域をＭｙ ＢＯＸと称し、そのＭｙ ＢＯＸにある情報を利用したサービスをＭｙ ＢＯＸサービスと称することとする。
【００２３】
また、Ｍｙ ＢＯＸにある情報のうち、特に選曲履歴や歌唱採点履歴、パーソナル曲目帳などの楽曲番号に対応付けされた情報を、個人別曲目帳として管理している。この個人別曲目帳は、図４に構成を例示しているように、楽曲番号に対応付けして、各楽曲のこの利用者の利用状況（利用属性情報）を管理するものである。利用属性情報として、最新の歌唱日時、歌唱回数、歌唱採点結果の最高得点や平均点、検定サービスの利用日時や評価情報、ＭＹ目次本に登録されているか否か、ＭＹ目次本への登録日などの情報が記録されている。
【００２４】
＝＝＝個人別曲目帳の読込＝＝＝
ホスト装置９０に会員登録されている利用者はＭｙ ＢＯＸサービスを享受できる。本実施例では、会員は非接触型のＩＣカードを所持し、そのＩＣカードに記憶されている固有の識別番号を個人ＩＤとしている。ホスト装置９０には、個人ＩＤごとにＭｙ ＢＯＸが用意されているものとする。
【００２５】
無線操作パネル３０は、このＩＣカード用のデータ読取機能を備え、利用者がＩＣカードをカラオケ活用無線端末３０のアンテナ部４５にかざすとカードのＩＤを個人ＩＤとして取得する。ＭＹ  ＢＯＸサービスを利用する利用者は、無線操作パネル３０起動時に表示されるトップ画面１２０（図５参照）の「ＭＹ ＢＯＸ」ボタン１２２を指示すると、Ｍｙ ＢＯＸサービスメニュー画面が表示される。この状態から利用者が画面指示にしたがってＩＣカードをアンテナ部４５に接触させると、リモコン制御部３４が個人ＩＤを取得し、参加者フォルダを作成して無線操作パネル３０内でユニークなフォルダ名を付与し、カードＩＤ（個人ＩＤ）をそのフォルダに格納する。
【００２６】
その後、トップ画面１２０に表示される指示１２３に従ってこの無線操作パネル３０を充電架台５０に装着すると、充電架台５０は電源入力端子４２を介して無線操作パネル３０側へ電源供給して２次電池４３を充電させるとともに、通信インタフェース（ＩＦ）用端子４０と接続して、無線操作パネル３０の通信ＩＦ３９とカラオケ装置１０の通信インタフェース２４との通信を仲介する。これによりこの利用者のログイン期間が開始される。
【００２７】
無線操作パネル３０を充電架台５０に装着すると、個人ＩＤが充電架台５０を経由してカラオケ装置１０に転送される。カラオケ装置１０はＶＰＮ７０を介してホスト装置９０にこの転送された個人ＩＤを送信する。ホスト装置９０は、送付されてきた個人ＩＤに対応するＭｙ ＢＯＸに蓄積されている個人別曲目帳を含む個人情報をカラオケ装置１０に返送する。
【００２８】
カラオケ装置１０の中央制御部１１は、読み込まれた個人別曲目帳をハードディスク装置１２などの適宜な記憶部に記憶して管理するとともに、この個人別曲目帳を無線操作パネル３０にも転送する。無線操作パネル３０は、転送された個人別曲目帳をこの利用者用の参加者フォルダに格納して管理する。
【００２９】
無線操作パネル３０のトップ画面１２０には、ログイン状態にある個人ＩＤに対応する個人識別標章が一覧表示される。利用者は、自分用の個人識別標章を指定することにより、個人ＩＤに基づいた利用が可能となり、個人別曲目帳に基づいて検索した楽曲を演奏予約したり、個人別曲目帳が更新されたりする。
【００３０】
例えば、利用者はトップページ１２０から適宜な楽曲選曲方式を選択して楽曲検索を行ったり、自身のＭｙ ＢＯＸにある選曲履歴やＭＹ 目次本から楽曲を選択したりして最終的に１曲を特定し、自分用の個人識別標章を選択指示して所定の予約操作を行うと、無線操作パネル３０は、個人ＩＤと特定楽曲の楽曲番号とを含む演奏予約コマンドをカラオケ装置１０に向けて送信する。  
なお、無線操作パネル３０とカラオケ装置１０との適宜な通信の機会に、双方で管理する個人別曲目帳が最新の状態に更新される。
【００３１】
＝＝＝個人別曲目帳からの自動選曲方式＝＝＝
カラオケ装置１０は、上述したように、ホスト装置９０から取り寄せた個人情報に基づいて、利用者の個人ＩＤごとに個人別曲目帳を管理している。本実施例のカラオケ装置１０には、利用者がカラオケ演奏予約する際に、この利用者用の個人別曲目帳から自動選曲して予約する機能が備わっており、自動選曲の複数の選曲方式が用意されている。選曲方式としては、図６に例示されているように、例えば個人別曲目帳のうちのＭｙ目次本から、登録が新しい順に５曲、とか、歌唱履歴から古い順に３曲、というように規定されている。それらの選曲方式のそれぞれには、選曲方式番号が対応付けされて管理されている。選曲方式番号は楽曲番号と同体系の６桁の数値であって、カラオケデータが対応付けされていない番号である。したがって、利用者が楽曲番号を指定して演奏予約するのと同様にして、選曲方式番号を入力して演奏予約することができる。
【００３２】
自動選曲による演奏予約をしたい利用者は、無線操作パネル３０でのログイン状態において、「自動選曲」ボタン１２５を指示すると、選曲方式が一覧表示される。この中から１方式を選択して指示するとともに、自身の個人識別標章を選択指示すると、その選曲方式に対応した選曲方式番号が個人ＩＤとともに演奏予約コマンドに含まれて、カラオケ装置１０に転送される。
【００３３】
カラオケ装置１０は、個人ＩＤおよび選曲方式番号を含んだ演奏予約コマンドを受け取ると、個人ＩＤと選曲方式番号とを対応付けして演奏予約の待ち行列に登録する（リクエスト登録処理）。
【００３４】
＝＝＝自動選曲処理＝＝＝
図７に、本実施例に係る制御手順の処理フロー図を示している。  
カラオケ装置１０の中央制御部１１は、演奏予約の待ち行列に登録された順に取り出して演奏準備・演奏等の処理を行う（順番処理、図７のステップ１）。演奏準備の対象の番号が楽曲番号であった場合には、前述したように、この楽曲番号に対応する楽曲のカラオケデータを取り出して、演奏処理に供する（ステップ２〜３）。
【００３５】
一方、演奏準備の対象の番号が楽曲番号ではなく選曲方式番号であった場合には、中央制御部１１はこの選曲方式番号に対応する方式にしたがって、リクエストした利用者の個人別曲目帳から選曲する処理（自動選曲処理）を行う。すなわち、まず、待ち行列で選曲方式番号と対応付けされている個人ＩＤに対応する個人別曲目帳を参照する（ステップ４〜６）。そして、たとえば指示されている選曲方式が「Ｍｙ目次本から登録順に３曲」であった場合には、この個人曲目帳の中から、「Ｍｙ目次本に登録されている楽曲」を取り出し、そのうちで「登録が最も新しい楽曲」の楽曲番号を選出する（ステップ７〜８）。そして、選出した楽曲番号に対応するカラオケデータを取り出して演奏処理に供する（ステップ９）。
【００３６】
それとともに、同じ選曲方式番号を、同じ個人ＩＤと対応付けして演奏予約の待ち行列の最後尾に再登録する処理を行う。この際に、選曲済みの楽曲番号も選曲方式番号に対応付けして登録しておく（ステップ１０〜１１）。
【００３７】
その後、待ち行列に従って順次演奏準備・演奏処理を行う。そして、先に中央制御部１１が再登録した選曲方式番号を処理する順番がまわってきたときには、先と同様に個人ＩＤに対応する利用者用の個人別曲目帳を参照し（ステップ６）、この個人曲目帳の中から、「Ｍｙ目次本に登録されている楽曲」を取り出し、先に選曲済みの楽曲以外で「登録が最も新しい楽曲」（すなわち、「登録が２番目に新しい楽曲」）の楽曲番号を選出する（ステップ７〜８）。そしてこの楽曲番号に対応する楽曲の演奏処理を行う（ステップ９）とともに、再度、当該選曲方式番号をこの個人ＩＤと対応づけして待ち行列の最後尾に登録する。この際にも、選曲済みの２曲の楽曲番号を選曲方式番号に対応付けして登録する（ステップ１０〜１１）。
【００３８】
中央制御部１１は、この選曲方式番号（付帯する個人ＩＤは同一）を待ち行列から取り出して自動選曲する処理を３回（図７中のＮ＝選曲方式で指定されている回数）行うまで、以上の処理を繰り返すと（ステップ１０）、この選曲方式番号に対する処理を終了する。なお、この選曲方式番号に対する処理を何度行ったかは、待ち行列にて付帯している選曲済みの楽曲番号の数で確認できる。
【００３９】
なお、利用者が「ログアウト」ボタン１２４を指示して無線操作パネル３０を充電架台５０に装着すると、ログアウトする旨の情報が充電架台５０を介してカラオケ装置１０に転送され、ログアウト処理が行われる。この際に、選曲履歴などが更新された個人別曲目帳の内容は、個人ＩＤとともにホスト装置９０にアップロードされる。
【００４０】
以上に説明した実施例によれば、個人別曲目帳から好みの方式で自動的に選曲されるので、どの曲を選曲するか迷う必要がなくなり、純粋にカラオケを楽しむことに没頭することができるようになる。また、歌える筈なのにあまり歌う機会がない曲を歌ってみる、という新鮮な楽しみも創出されることとなる。
【００４１】
なお、ホスト装置９０や無線操作パネル３０で実現されている機能を含めてカラオケ装置にて一体的に実現することも本発明の適用の範囲内である。
【図面の簡単な説明】
【００４２】
【図１】本発明の実施例におけるカラオケ装置を含むネットワーク構成図である。
【図２】上記カラオケ装置の機能ブロック図である。
【図３】上記カラオケ装置に付属するカラオケ活用無線端末の外観図（Ａ）と機能ブロック図（Ｂ）である。
【図４】本実施例における個人別曲目帳の論理構成図である。
【図５】上記無線操作パネルに表示されるトップ画面の概略図である。
【図６】本実施例における選曲方式番号と選曲方式との対応付けを例示する図である。
【図７】上記カラオケ装置における制御処理のフロー図である。
【符号の説明】
【００４３】
１０  カラオケ装置
１１  中央制御部
１２  ハードディスク装置
３０  無線操作パネル
９０  ホスト装置
【図１】
2005266443.tif 000003
【図２】
2005266443.tif 000004
【図３】
2005266443.tif 000005
【図４】
2005266443.tif 000006
【図５】
2005266443.tif 000007
【図６】
2005266443.tif 000008
【図７】
2005266443.tif 000009